(57)【要約】 【課題】耐震性に優れると共に見栄えのよい耐震性石碑を提供する。【解決手段】石碑本体２の下端嵌入部３を、支持台６に設けられた嵌入凹部５に嵌入し、支持台６と下端嵌入部３とをボルト３３で固定する。支持台６には、嵌入凹部５の後の壁部３２にボルト挿通孔２９が設けられており、ボルト挿通孔２９を挿通するボルト３３のネジ軸部３５を、下端嵌入部３に設けられた雌ネジ部２６に螺合し、該ボルト３３を締め付ける。これにより、下端嵌入部３が後の壁部３２に当接し、前の壁部７５と下端嵌入部３との間に排水間隙１９が形成され、排水間隙１９が、石碑本体２の下端側に設けられたカバー突部１８で上側から覆い隠される。                                          【選択図】図４
2007126825.tif 000002
【特許請求の範囲】
【請求項１】
石碑本体の下端嵌入部を支持台にボルト固定する耐震性石碑であって、該支持台には、上端開放の嵌入凹部が設けられると共に、該嵌入凹部に前記下端嵌入部を着脱可能に嵌入させる如くなされ、該嵌入凹部の対向する壁部の内の一方の壁部にボルト挿通孔が設けられると共に、前記下端嵌入部には、該ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトのネジ軸部を前記雌ネジ部に螺合し該ボルトを締め付けることにより、前記下端嵌入部が前記一方の壁部に当接した状態で該下端嵌入部が前記支持台にボルト固定される如くなされ、又、前記対向する壁部の内の他方の壁部と前記下端嵌入部との間に排水間隙が形成されることを特徴とする耐震性石碑。
【請求項２】
石碑本体の下端嵌入部を支持台にボルト固定する耐震性石碑であって、該支持台には、上端開放で且つ両端が開放した嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトのネジ軸部を前記雌ネジ部に螺合し該ボルトを締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とする耐震性石碑。
【請求項３】
石碑本体の下端嵌入部を、所要間隔を置いて配置された複数個の支持台の夫々にボルト固定する耐震性石碑であって、各支持台には、上端開放で且つ両端が開放した嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトのネジ軸部を前記雌ネジ部に螺合し該ボルトを締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とする耐震性石碑。
【請求項４】
石碑本体の下端嵌入部を支持台にボルト固定する耐震性石碑であって、該支持台には、上端開放で且つ両端が閉じた嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、前記ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトのネジ軸部を前記雌ネジ部に螺合し該ボルトを締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とする耐震性石碑。
【請求項５】
石碑本体の下端嵌入部を支持台にボルト固定する耐震性石碑であって、該支持台には、上端開放の嵌入凹部が設けられると共に、該嵌入凹部に前記下端嵌入部を着脱可能に嵌入させる如くなされ、該嵌入凹部の対向する壁部の内の一方の壁部にボルト挿通孔が設けられると共に、前記下端嵌入部には、該ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、前記下端嵌入部が前記一方の壁部に当接した状態で該下端嵌入部が前記支持台にボルト固定される如くなされ、又、前記対向する壁部の内の他方の壁部と前記下端嵌入部との間に排水間隙が形成されることを特徴とする耐震性石碑。
【請求項６】
石碑本体の下端嵌入部を支持台にボルト固定する耐震性石碑であって、該支持台には、上端開放で且つ両端が開放した嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、該下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とする耐震性石碑。
【請求項７】
石碑本体の下端嵌入部を、所要間隔を置いて配置された複数個の支持台の夫々にボルト固定する耐震性石碑であって、各支持台には、上端開放で且つ両端が開放した嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とする耐震性石碑。
【請求項８】
石碑本体の下端嵌入部を支持台にボルト固定する耐震性石碑であって、該支持台には、上端開放で且つ両端が閉じた嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、前記ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とする耐震性石碑。
【請求項９】
前記嵌入凹部の底部に、前記排水間隙に流入した水を排出する排水孔が設けられていることを特徴とする請求項４又は８記載の耐震性石碑。
【請求項１０】
石碑本体の下端嵌入部を、該下端嵌入部の長さ方向の両端部分に配置された支持台の夫々にボルト固定する耐震性石碑であって、該支持台には、上端開放で且つ外端が閉じた嵌入凹部が設けられると共に、該嵌入凹部に前記下端嵌入部の端部分を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられており、前記下端嵌入部の端部分を前記嵌入凹部に嵌入した状態で、前記ボルト挿通孔を挿通したボルトのネジ軸部を前記雌ネジ部に螺合し該ボルトを締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とする耐震性石碑。
【請求項１１】
石碑本体の下端嵌入部を、該下端嵌入部の長さ方向の両端部分に配置された支持台の夫々にボルト固定する耐震性石碑であって、該支持台には、上端開放で且つ外端が閉じた嵌入凹部が設けられると共に、該嵌入凹部に前記下端嵌入部の端部分を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられており、前記下端嵌入部の端部分を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とする耐震性石碑。
【請求項１２】
前記石碑本体には、前記排水間隙を上側から覆い隠すカバー突部が設けられていることを特徴とする請求項１〜１１の何れかに記載の耐震性石碑。
【請求項１３】
前記石碑本体には、前記排水間隙を上側から覆い隠すカバー突部が設けられており、該カバー突部の突部下面が前記支持台の前記他方の壁部の上面から浮き上がっていることを特徴とする請求項１又は５記載の耐震性石碑。
【請求項１４】
前記石碑本体には、前記排水間隙を上側から覆い隠すカバー突部が設けられており、該カバー突部の突部下面が前記支持台の前記前の壁部の上面から浮き上がっていることを特徴とする請求項２、３、４、６、７、８、９、１０又は１１記載の耐震性石碑。
【請求項１５】
前記石碑本体の、前記他方の壁部側に存する面の下端側の部分が、該面の上端側の部分よりも該他方の壁部の前方に突出しており、該突出した部分の下端部分が前記排水間隙を上側から覆い隠すカバー突部とされており、該カバー突部の突部下面が前記支持台の前記他方の壁部の上面から浮き上がっていることを特徴とする請求項１又は５記載の耐震性石碑。
【請求項１６】
前記石碑本体の前面部の下端側の部分が上端側の部分よりも前方に突出しており、該突出した部分の下端部分が前記排水間隙を上側から覆い隠すカバー突部とされており、該カバー突部の突部下面が前記支持台の前記前の壁部の上面から浮き上がっていることを特徴とする請求項２、３、４、６、７、８、９、１０又は１１記載の耐震性石碑。
【請求項１７】
前記石碑本体には、前記排水間隙を上側から覆い隠すカバー突部が設けられており、前記ボルトが緩んだ状態で、前記石碑本体の下端嵌入部が、前記他方の壁部に向けて移動でき、該下端嵌入部が前記他方の壁部の内面に当接した状態においても前記ボルトが前記雌ネジに螺合した状態を保持することを特徴とする請求項１又は５記載の耐震性石碑。
【請求項１８】
前記石碑本体には、前記排水間隙を上側から覆い隠すカバー突部が設けられており、前記ボルトが緩んだ状態で、前記石碑本体の下端嵌入部が前記前の壁部に向けて移動でき、該下端嵌入部が前記前の壁部の内面に当接した状態においても前記ボルトが前記雌ネジ部に螺合した状態を保持することを特徴とする請求項２、３、４、６、７、８、９、１０又は１１記載の耐震性石碑。
【発明の詳細な説明】
【技術分野】
【０００１】
本発明は耐震性石碑に関するものであり、更に詳しくは、故人の戒名や没年月日、俗名等を彫り込む等するための墓誌本体や、慰霊碑本体、記念碑本体等としての石碑本体と、該石碑本体の下端嵌入部を着脱可能に支持する支持台とを具え、該下端嵌入部を支持台にボルト固定することによって耐震性が向上された耐震性石碑に関するものである。
【背景技術】
【０００２】
墓誌本体ａを支持台ｂに着脱可能に支持させてなる従来の一般的な墓誌ｃは、図４２〜４３に示すように、所要間隔を隔てて左右に配置された基礎固定の支持台ｂ，ｂに、墓誌本体ａの下端部分ｄの左右部ｅ，ｅを着脱可能に支持させるものであり、該墓誌本体ａの前面が、故人の戒名や没年月日、俗名等を彫り込む面とされていた。そして該支持台ｂ，ｂには、上端開放で且つ両端が開放された嵌入凹部ｆが設けられており、該嵌入凹部ｆの溝幅は前記下端部分ｄの厚さよりも稍大きく（通常５ｍｍ程度大きく）形成されていた。そして前記墓誌本体ａの下端部分ｄを左右の支持台ｂ，ｂに支持させるに際しては、墓誌の見栄えを損なわないように、該下端部分ｄを左右の嵌入凹部ｆ，ｆに嵌入すると共に該下端部分ｄの前面ｇを前記支持台ｂの前の壁部ｈの内面ｊに当接させ、その後、該支持台ｂの後側の壁部ｋの内面ｍと前記下端部分ｄの後面ｎとの間に形成された溝部ｐにプラスチック製等の楔片ｑを打ち込むことによって、墓誌本体ａの下端部分ｄを両側の支持台ｂ，ｂに、摩擦力の作用で固定していた。
【０００３】
かかる構成の墓誌ｃによるときは、前記楔片ｑを取り外すことによって墓誌本体ａを支持台ｂ，ｂと分離できるため、新たに埋葬者が生じた場合には該墓誌本体ａに、その人の戒名や没年月日、俗名等の文字を容易に彫り込むことができ、その後、前記と同様にして該墓誌本体ａを支持台ｂ，ｂに楔片ｑを介して固定することができた。
【０００４】
しかしながらかかる構成の従来の墓誌ｃによるときは、地震発生時において墓誌が揺れた際に前記楔片ｑが外れて墓誌本体ａが倒れる問題があった。１回の地震によってはこのように倒れることがなくても、その後における地震発生時や台風時において楔片ｑが更に緩むと、墓誌本体ａの揺れが激しくなって楔片ｑが外れてしまう場合が生じ、楔片ｑが外れると墓誌本体ａのガタツキが一層激しくなり、前記下端部分ｄが嵌入凹部ｆから外れて墓誌本体ａが支持台ｂから離脱し墓誌本体ａが倒れる問題が発生した。
【０００５】
又、かかる楔片打ち込み固定方式の墓誌の他の態様としては、図４４に示すように、上端開放の凹部からなる嵌入凹部ｆを支持台ｂに設け、墓誌本体ａの下端部分ｄを該嵌入凹部ｆに嵌入して後、墓誌の裏側において、前記と同様に楔片ｑを打ち込むタイプのものも存在したが、この場合も、地震時の振動等によって楔片ｑが外れることにより前記下端部分ｄが嵌入凹部ｆから離脱し墓誌本体ａが倒れる問題が前記と同様に発生した。
【０００６】
そこで、このような問題点を極力解消しながら墓誌本体ａの取り外しの容易化を達成せんとして、墓誌本体の下端部分を支持台にボルト固定する墓誌が特開２００１−６５２０３号公報で提案されている。同公報が開示する代表的なものは図４５〜４６に示す構成を有しており、前記墓誌本体ａは、御影石等の石材からなり矩形板状に形成され、その表面には、故人の戒名や没年月日、俗名等の文字が彫り込まれるものであった。又台石ｒは、横幅と奥行きが夫々前記墓誌本体ａの横幅と厚さよりも稍大きく形成された直方体状の石材からなり、その上面中央から底面に貫通した取り付け孔ｓが形成され、該取り付け孔ｓには前記墓誌本体ａの下端部分ｄが嵌入される如く構成されていた。そして、該取り付け孔ｓを構成する前後対向した前壁部ｔと後壁部ｕの両側に位置させて、該前壁部ｔと後壁部ｕとを軸線を共通にして貫通するボルト孔ｖ，ｖ、ｖ，ｖが形成されており、該ボルト孔ｖ，ｖ、ｖ，ｖは、ボルトｗの頭部ｘやナットｙが隠れるように段部状に形成されていた。又、該ボルト孔ｖ，ｖ、ｖ，ｖに夫々挿入されるボルトｗ，ｗは、前記墓誌本体ａの下端部分ｄの両側に貫設されたボルト孔ｚ，ｚに挿通される如くなされていた。
【０００７】
かかる構成を有する墓誌本体ａの下端部分ｄを台石ｒに固定するに際しては、図４６に示すように、両側のボルト孔ｖ，ｚ，ｖ、ｖ，ｚ，ｖにボルトｗ，ｗを挿通し、該ボルトｗ，ｗの先端部にナットｙ，ｙを螺合し締め付けるのであり、これにより墓誌ｃの下端部分ｄを台石ｒに固定するのであった。
【０００８】
なお前記公報の図３においては、図４６に示すように、墓誌本体ａの下端部分ｄを取り付け孔ｓに嵌入した状態において、該下端部分ｄの外表面ｂ１が前記取り付け孔ｓの内面ｃ１に密接した状態が記載されているが、実際は、墓誌本体ａや台石ｒの加工誤差を考慮して、前記取り付け孔ｓの溝幅に余裕（例えば３〜５ｍｍ程度）が設けられるものである。このような余裕が設けられていないとすれば、墓誌本体ａや台石ｒの加工誤差によって、墓誌本体ａの下端部分ｄを取り付け孔ｓに嵌入できない場合が生じてしまうからである。そのため、前記墓誌本体ａの下端部分ｄを前記台石ｒの取り付け孔ｓに嵌入させると共に、前記ボルト孔ｖ，ｚ，ｖ、ｖ，ｚ，ｖにボルトｗ，ｗを挿通してナットｙ，ｙで締め付けた固定状態は、前記公報の図３に示すようなものではなく実際は図４７に示すようなものとなる。
【０００９】
そのため、墓誌本体ａの下端部分ｄは、前記前壁部ｔと後壁部ｕとに固定されたネジ軸ｄ１の軸線方向で、前記余裕の範囲で前後動できる。墓誌本体ａの下端部分ｄが台石ｒにボルト固定された状態にはないために、前記余裕の範囲で前後動できるのである。従って地震発生時においては、墓誌本体ａの下端部分ｄが前記ネジ軸ｄ１の軸線方向で激しく振動することになり、その振動がボルトやナットに伝達されて該ナットｙが緩む原因となるのであった。そして、この振動によってナットｙが外れてボルトｗが脱落すると、前記下端部分ｄが取り付け孔ｓから離脱して墓誌本体ａが倒れる事態が発生し易い問題があった。
【００１０】
又、前記公報の図７に示されている墓誌は、図４８に示すように、台石ｒの前側部分に、前記墓誌本体ａの下端部分ｄを嵌め入れる欠切凹部ｅ１が設けられていた。そして、ボルトｗ，ｗを、前記台石ｒの両側に設けられたボルト孔ｚ，ｚと、墓誌本体ａの下端部分ｄの両側に設けられたボルト孔ｚ１，ｚ１に挿通させると共に、該ボルトｗのネジ軸先端側にナットａ１を螺合し締め付けることにより、該下端部分ｄを台石ｒに固定する構成のものであった。しかしながら、かかる構成の墓誌にあっては、地震時等の振動によってナットａ１が緩むと墓誌本体ａにガタツキが生じてナットが更に緩み、該ナットａ１が脱落してしまうと、墓誌本体ａが直ちに倒れてしまう問題が発生した。
【００１１】
【特許文献１】特開２００１−６５２０３号公報（第２−４頁、図１−図３、図７）
【発明の開示】
【発明が解決しようとする課題】
【００１２】
本発明は、前記従来の問題点等に鑑みて開発されたものであり、墓誌等の石碑の耐震性向上を期し得る耐震性石碑の提供を課題とするものである。又、併せて石碑下端の見栄え向上が図られた耐震性石碑の提供を課題とするものである。
【課題を解決するための手段】
【００１３】
前記課題を解決するため本発明は以下の手段を採用する。
即ち本発明に係る耐震性石碑の第１の態様は、石碑本体の下端嵌入部を支持台にボルト固定する耐震性石碑であって、該支持台には、上端開放の嵌入凹部が設けられると共に、該嵌入凹部に前記下端嵌入部を着脱可能に嵌入させる如くなされ、該嵌入凹部の対向する壁部の内の一方の壁部にボルト挿通孔が設けられると共に、前記下端嵌入部には、該ボルト挿通孔を挿通したボルトのネジ軸部が螺合する雌ネジ部が設けられている。そして、前記下端嵌入部を前記嵌入凹部に嵌入した状態で、前記ボルト挿通孔を挿通したボルトのネジ軸部を前記雌ネジ部に螺合し該ボルトを締め付けることにより、前記下端嵌入部が前記一方の壁部に当接した状態で該下端嵌入部が前記支持台にボルト固定される如くなされ、又、前記対向する壁部の内の他方の壁部と前記下端嵌入部との間に排水間隙が形成されることを特徴とするものである。
【００１４】
本発明に係る耐震性石碑の第２の態様（前記第１の態様のより具体的な態様）は、石碑本体の下端嵌入部を支持台にボルト固定する耐震性石碑であって、該支持台には、上端開放で且つ両端が開放した嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられている。そして、前記下端嵌入部を前記嵌入凹部に嵌入した状態で、前記ボルト挿通孔を挿通したボルトのネジ軸部を前記雌ネジ部に螺合し該ボルトを締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とするものである。
【００１５】
本発明に係る耐震性石碑の第３の態様（前記第１の態様のより具体的な他の態様）は、石碑本体の下端嵌入部を、所要間隔を置いて配置された複数個の支持台の夫々にボルト固定する耐震性石碑であって、各支持台には、上端開放で且つ両端が開放した嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられている。そして、前記下端嵌入部を前記嵌入凹部に嵌入した状態で、前記ボルト挿通孔を挿通したボルトのネジ軸部を前記雌ネジ部に螺合し該ボルトを締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とするものである。
【００１６】
本発明に係る耐震性石碑の第４の態様（前記第１の態様のより具体的なその他の態様）は、石碑本体の下端嵌入部を支持台にボルト固定する耐震性石碑であって、該支持台には、上端開放で且つ両端が閉じた嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、前記ボルト挿通孔を挿通したボルトのネジ軸部が螺合する雌ネジ部が設けられている。そして、前記下端嵌入部を前記嵌入凹部に嵌入した状態で、前記ボルト挿通孔を挿通したボルトのネジ軸部を前記雌ネジ部に螺合し該ボルトを締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とするものである。
【００１７】
本発明に係る耐震性石碑の第５の態様は、石碑本体の下端嵌入部を支持台にボルト固定する耐震性石碑であって、該支持台には、上端開放の嵌入凹部が設けられると共に、該嵌入凹部に前記下端嵌入部を着脱可能に嵌入させる如くなされ、該嵌入凹部の対向する壁部の内の一方の壁部にボルト挿通孔が設けられると共に、前記下端嵌入部には、該ボルト挿通孔を挿通したボルトのネジ軸部が螺合する雌ネジ部が設けられており、前記下端嵌入部を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、前記下端嵌入部が前記一方の壁部に当接した状態で該下端嵌入部が前記支持台にボルト固定される如くなされ、又、前記対向する壁部の内の他方の壁部と前記下端嵌入部との間に排水間隙が形成されることを特徴とするものである。
【００１８】
本発明に係る耐震性石碑の第６の態様（前記第５の態様のより具体的な態様）は、石碑本体の下端嵌入部を支持台にボルト固定する耐震性石碑であって、該支持台には、上端開放で且つ両端が開放した嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられている。そして、前記下端嵌入部を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、該下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とするものである。
【００１９】
本発明に係る耐震性石碑の第７の態様（前記第５の態様のより具体的な他の態様）は、石碑本体の下端嵌入部を、所要間隔を置いて配置された複数個の支持台の夫々にボルト固定する耐震性石碑であって、各支持台には、上端開放で且つ両端が開放した嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられている。そして、前記下端嵌入部を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とするものである。
【００２０】
本発明に係る耐震性石碑の第８の態様（前記第５の態様のより具体的なその他の態様）は、石碑本体の下端嵌入部を支持台にボルト固定する耐震性石碑であって、該支持台には、上端開放で且つ両端が閉じた嵌入凹部が設けられると共に、該嵌入凹部に前記下端嵌入部を着脱可能に嵌入させる如くなされ、該嵌入凹部の前後対向する壁部の内の後の壁部にボルト挿通孔が設けられると共に、前記下端嵌入部には、前記ボルト挿通孔を挿通したボルトのネジ軸部が螺合する雌ネジ部が設けられている。そして、前記下端嵌入部を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とするものである。
【００２１】
本発明に係る耐震性石碑の第９の態様は、前記第４の態様又は第８の態様において、前記嵌入凹部の底部に、前記排水間隙に流入した水を排出する排水孔を設けたことを特徴とするものである。
【００２２】
本発明に係る耐震性石碑の第１０の態様は、石碑本体の下端嵌入部を、該下端嵌入部の長さ方向の両端部分に配置された支持台の夫々にボルト固定する耐震性石碑であって、該支持台には、上端開放で且つ外端が閉じた嵌入凹部が設けられると共に、該嵌入凹部に前記下端嵌入部の端部分を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられている。そして、前記下端嵌入部の端部分を前記嵌入凹部に嵌入した状態で、前記ボルト挿通孔を挿通したボルトのネジ軸部を前記雌ネジ部に螺合し該ボルトを締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とするものである。
【００２３】
本発明に係る耐震性石碑の第１１の態様は、石碑本体の下端嵌入部を、該下端嵌入部の長さ方向の両端部分に配置された支持台の夫々にボルト固定する耐震性石碑であって、該支持台には、上端開放で且つ外端が閉じた嵌入凹部が設けられると共に、該嵌入凹部に前記下端嵌入部の端部分を着脱可能に嵌入させる如くなされ、該嵌入凹部の前後対向する壁部の内の後の壁部にボルト挿通孔が設けられると共に、前記下端嵌入部には、該ボルト挿通孔を挿通したボルトのネジ軸部が螺合する雌ネジ部が設けられている。そして、前記下端嵌入部の端部分を前記嵌入凹部に嵌入した状態で、前記ボルト挿通孔を挿通したボルトの一端側のネジ軸部を前記雌ネジ部に螺合すると共に他端側のネジ軸部にナットを螺合し締め付けることにより、前記下端嵌入部が前記嵌入凹部の前記後の壁部に当接した状態で該下端嵌入部が前記支持台にボルト固定される如くなされ、又、前記嵌入凹部の前の壁部と前記下端嵌入部との間に排水間隙が形成されることを特徴とするものである。
【００２４】
本発明に係る耐震性石碑の第１２の態様は、前記第１〜１１の何れかの態様において、前記石碑本体に、前記排水間隙を上側から覆い隠すカバー突部を設けたことを特徴とするものである。
【００２５】
本発明に係る耐震性石碑の第１３の態様は、前記第１の態様又は第５の態様において、前記石碑本体に、前記排水間隙を上側から覆い隠すカバー突部を設け、該カバー突部の突部下面が前記支持台の前記他方の壁部の上面から浮き上がった状態としたことを特徴とするものである。
【００２６】
本発明に係る耐震性石碑の第１４の態様は、前記第２、３、４、６、７、８、９、１０又は１１の態様において、前記石碑本体に、前記排水間隙を上側から覆い隠すカバー突部を設け、該カバー突部の突部下面が前記支持台の前記前の壁部の上面から浮き上がった状態としたことを特徴とするものである。
【００２７】
本発明に係る耐震性石碑の第１５の態様は、前記第１の態様又は第５の態様において、前記石碑本体の、前記他方の壁部側に存する面の下端側の部分が、該面の上端側の部分よりも該他方の壁部の前方に突出した状態とし、該突出した部分の下端部分を、前記排水間隙を上側から覆い隠すカバー突部とし、該カバー突部の突部下面が前記支持台の前記他方の壁部の上面から浮き上がった状態としたことを特徴とするものである。
【００２８】
本発明に係る耐震性石碑の第１６の態様は、前記第２、３、４、６、７、８、９、１０又は１１の態様において、前記石碑本体の前面部の下端側の部分が、上端側の部分よりも前方に突出した状態とし、該突出した部分の下端部分を、前記排水間隙を上側から覆い隠すカバー突部とし、該カバー突部の突部下面が前記支持台の前記前の壁部の上面から浮き上がった状態としたことを特徴とするものである。
【００２９】
本発明に係る耐震性石碑の第１７の態様は、前記第１の態様又は第５の態様において、前記石碑本体に、前記排水間隙を上側から覆い隠すカバー突部が設けられたものとし、前記ボルトが緩んだ状態で、前記石碑本体の下端嵌入部が、前記他方の壁部に向けて移動でき、該下端嵌入部が前記他方の壁部の内面に当接した状態においても前記ボルトが前記雌ネジに螺合した状態を保持するように構成したことを特徴とするものである。
【００３０】
本発明に係る耐震性石碑の第１８の態様は、前記第２、３、４、６、７、８、９、１０又は１１の態様において、前記石碑本体に、前記排水間隙を上側から覆い隠すカバー突部が設けられたものとし、前記ボルトが緩んだ状態で、前記石碑本体の下端嵌入部が前記前の壁部に向けて移動でき、該下端嵌入部が前記前の壁部の内面に当接した状態においても前記ボルトが前記雌ネジ部に螺合した状態を保持するように構成したことを特徴とするものである。
【発明の効果】
【００３１】
本発明は、以下の如き優れた効果を奏する。
(1) 本発明に係る耐震性石碑は、石碑本体とその下端嵌入部を支持する支持台とを具え、該下端嵌入部を支持台にボルト固定する手段を採用するため、耐震性に優れた墓誌や各種の記念碑等の耐震性石碑を構成できることとなる。又、石碑本体の下端嵌入部を支持台にボルト固定で支持することから、石碑本体の表面に文字等を新たに彫り込む等する際には該石碑本体を支持台と容易に分離できる。そして必要に応じ、石碑本体を移設することも容易であり、特に、該支持台を基礎に対して着脱可能としたときは、石碑本体を支持台と共に移設できることとなる。
【００３２】
(2) 本発明を構成する支持台は、対向する壁部間で嵌入凹部が形成されているため、何れか一方の壁部を省略した場合に比して支持台を見栄えよく構成できる。加えて、地震時の振動等によって前記ボルトが緩んで、或いは前記ボルトや前記ナットが緩んで、前記下端嵌入部が、ボルト挿通孔が設けられていない壁部側に移動したとしても、該壁部が該下端嵌入部を受け止めることができるため、該壁部側に移動した石碑本体が直ちに倒れてしまう恐れがない。そしてこの場合、該下端嵌入部が該壁部に当接した状態においても前記ボルトが前記雌ネジ部に螺合した状態を保持するように構成することにより、該下端嵌入部が該壁部に当接状態になっても該下端嵌入部が嵌入凹部から脱落する恐れがない。
【００３３】
(3) そして本発明の耐震性石碑は、石碑本体の下端嵌入部を一方の壁部に当接状態にしてボルト固定することとし、該下端嵌入部と他方の壁部との間に排水間隙が形成されるように構成されている。該排水間隙の溝幅は、石碑本体や支持台の加工誤差を吸収するのに十分な大きさであり、又、該排水間隙に流入した雨水を排水させることができる。
【００３４】
(4) 前記排水間隙を上側から覆い隠すカバー突部を石碑本体に設ける場合は、該排水間隙が上側から目視されないために、石碑下端の支持部分の見栄えを向上させ得る。そして、このように排水間隙が上側から目視されないために、該排水間隙の溝幅を比較的大きく形成することが可能となり排水性向上を期し得ることとなる。これにより、該排水間隙が苔等によって極力汚損されにくくなる。
【００３５】
(5) 特に、カバー突部の突部下面を支持台の壁部の上面から浮き上がった状態に構成する場合は、石碑本体や支持台に加工誤差が生じたとしても、前記ボルト挿通孔の軸線と前記雌ネジ部の軸線とが合致するように前記下端嵌入部を嵌入凹部に正しく嵌入させることができる。又前記ボルトが緩んだときには、該カバー突部が、ボルト挿通孔が設けられていない壁部側に無理なく移動できることから、該移動の際にカバー突部が壁部の上面に引っ掛かる等して該カバー突部や壁部が損傷される恐れがない。
【００３６】
(6) 前記石碑本体の、前記他方の壁部側に存する面の下端側の部分を、該面の上端側の部分よりも該壁部の前方に突出させ、該突出した部分の下端部分をカバー突部としたときは、前記排水間隙を上側から覆い隠すカバー突部を形成できると同時に、該突出した分だけ石碑本体の重心が下がって石碑本体の安定性が向上するため、それだけ耐震性向上を期し得ることとなる。
【実施例１】
【００３７】
図１〜４において本発明に係る耐震性石碑（以下石碑という）１は、石碑本体２と、その下端嵌入部３を着脱可能に嵌入させる嵌入凹部５を具えた支持台６とを具え、該下端嵌入部３と該支持台６とをボルト固定するものである。
該石碑本体２は、本実施例においては、墓誌１ａを構成する墓誌本体２ａとして構成されており、その前面７には、故人の戒名や没年月日、俗名等の文字等が、彫り込みやサンドブラスト等によって形成される。
【００３８】
該墓誌本体２ａをより具体的に説明すれば、例えば御影石等の石材からなる矩形板状を呈し、図１〜４に示すように、その後面９が垂直面に形成されると共に上面１０が水平面に形成され、該上面１０の前端で、上端から下端に向けて前方に緩く傾斜する傾斜表示面１１が連設されている。該傾斜表示面１１には、故人の戒名や没年月日、俗名等の文字等が彫り込まれる。これらの文字等は、傾斜表示面が、上端から下端に向けて前方に傾斜しているために見やすい。又該傾斜表示面１１の下縁１２で、下方に延長する垂直前面１３が連設され、該垂直前面１３の下端で、後方に水平に延長する突部下面１５が連設されている。そして該突部下面１５の後端で、下方に延長する垂直面１６が連設され、該垂直面１６の下端で、水平な下面１７（石碑本体２の下面）が連設されている。そして該石碑本体２の前面部の下端側の部分は、後述のように排水間隙１９を上側から覆い隠す、カバー突部１８とされており、前記突部下面１５が該カバー突部１８の下面を構成している。
【００３９】
そして図４に示すように、前記突部下面１５より下側に存する部分の上部２０を除いた部分が前記下端嵌入部３とされている。該下端嵌入部３は、前後長さが等しく且つその下面（前記下面１７）が水平である直方体状を呈しており、該下端嵌入部３が前記嵌入凹部５に嵌入され且つ該下面１７が該嵌入凹部５の底面２１に当接した状態で、前記突部下面１５が前記支持台６の上面２２から５〜１０ｍｍ程度上方に位置する如くなされている。又図３〜４に示すように、該下端嵌入部３の後面２３の左右両側には、該下端嵌入部３の前面２５では開口しない盲の雌ネジ部２６，２６が埋設状態に設けられている。該雌ネジ部２６，２６は、本実施例においては有底のネジ筒部材２７を用いて形成されている。前記のように、突部下面１５が前記支持台６の上面２２から５〜１０ｍｍ程度上方に位置する如く構成しているのは、前記嵌入凹部５や下端嵌入部３の加工誤差を考慮したものであり、下端嵌入部３が前記嵌入凹部５に所要に嵌入され、該嵌入凹部５の底面２１に載置された状態で、前記雌ネジ部２６が後述のボルト孔２９と確実に位置合わせされるようにするためである。又後述のように、前記カバー突部１８が無理なく前後動できるようにするためである。
【００４０】
かかる構成を有する墓誌本体２ａの主要部の寸法を例示すれば、左右長さＬ１（図３）が７００ｍｍ、高さＬ２（図３）が６８０ｍｍ、前記下端嵌入部３の前後長さＬ３（図３）が９０ｍｍ、該下端嵌入部３の高さＬ４（図４）が８０ｍｍ、前記突部下面１５の、前記下面１７からの高さＬ５（図４）が９０ｍｍ、前記上面１０の前後幅Ｌ６（図３）が５０ｍｍ、前記傾斜表示面１１の垂直な面に対する傾斜角度が４度、前記雌ネジ部２６の径が１６ｍｍで、該雌ネジ部２６の長さが５０ｍｍ、該雌ネジ部２６の中心と墓誌本体２ａの側面３０との間の距離Ｌ７（図３）が２００ｍｍに設定されている。
【００４１】
かかる構成を有する墓誌本体２ａは、前記のように、その前面７が上端から下端に向けて前方に傾斜するため、その下側が上側よりも重く形成されており、従って、前面７が垂直な面である場合に比して墓誌本体２ａの重心が低い。
【００４２】
前記支持台６は御影石等の石材からなり、図２〜４に示すように、左右長さＬ８（図３）が前記墓誌本体２ａの左右長さＬ１に等しく設定されると共に、前後長さＬ９（図３）が前記墓誌本体２ａの下端嵌入部３の前後長さＬ３よりも稍大きく形成された直方体状を呈しており、その上面中央には長手方向に連続して、断面矩形溝状を呈する前記嵌入凹部５が設けられ、該嵌入凹部５の両端３１，３１は開放している。そして図３〜４に示すように、該嵌入凹部５の一方の壁部（本実施例においては後の壁部という）３２の左右方向両側には、前記下端嵌入部３の両側に設けられた前記雌ネジ部２６，２６と位置合わせして、頭付きのボルト３３のネジ軸３５を挿通させるボルト挿通孔２９，２９が該後の壁部３２を貫通するように設けられている。
【００４３】
該ボルト挿通孔２９は、図４に示すように、前記雌ネジ部２６に螺合されるネジ軸３５を挿通させる挿通孔部３６に、ボルト頭３７を嵌め入れる拡大孔３９を連設した構成を有している。該挿通孔部３６は、前記雌ネジ部２６との位置合わせを容易とするために稍大径に形成されている。又、該支持台６の下面４０の四隅には、図５に示すように、該支持台６を固定部材４１を介して基礎４２にボルト固定するための固定ネジ孔４３が埋設状態に設けられている。
【００４４】
かかる構成を有する支持台６の主要部の寸法を例示すれば、支持台６の左右長さＬ８（図３）が７００ｍｍ、その前後長さＬ９（図３）が２５０ｍｍ、その高さＬ１０（図３）が１６０ｍｍ、前記嵌入凹部５の溝幅Ｌ１１（図３）が１００ｍｍでその深さＬ１２（図３）が８０ｍｍに設定されている。又前記ボルト挿通孔２９は、前記挿通孔部３６の径が２０ｍｍで前記拡大孔３９の径が５０ｍｍに設定されている。又前記固定ネジ孔４３（図５）の径は１６ｍｍに設定されている。
【００４５】
又前記基礎４２は、図１、図６に示すように、現場打ち施工で、左右に長い長方形板部として形成されており、その上面４５の左右部分の前後に、断面矩形状の固定溝４６が左右に稍長く凹設されている。該固定溝４６の溝幅と深さは、例えば、共に５０ｍｍに設定されている。
【００４６】
又前記固定部材４１は、図６〜７に示すように、前記固定溝４６の溝幅に略等しい前後幅を有する水平片４７の一側において、下端４９が該固定溝４６の底面５０に図８に示すように当接し得る垂直片５１が下設された断面Ｌ字形を呈しており、その肉厚は例えば１０ｍｍ程度で、前記水平片４７の幅は例えば５０ｍｍ程度に設定されている。又、該水平片４７の両端側にはボルト孔５２，５３が穿設されている。そして該固定部材４１は、本実施例においては敷地状態等を考慮して、例えば図６、図９に示すように、左右方向に延長する如くその長さ方向が合わせられる。そして図５、図８に示すように、前記水平片４７の内側部分５４が、前記ボルト孔５２を前記固定ネジ孔４３と位置合わせして前記支持台６の下面４０に当接せしめられる。この状態で、ボルト３３が座金５２を介して該ボルト孔５２に挿通され、前記固定ネジ孔４３に螺合され締め付けられることにより、該固定部材４１が前記支持台６に固定される。
【００４７】
そして前記固定溝４６の底面５０には、図５、図７〜８に示すように、前記支持台６の側面４８から例えば８０ｍｍ程度突出状態にある水平片の外側部分５５に設けられた前記ボルト孔５３に挿通せしめられるアンカーボルト５６が立設されている。
【００４８】
なお前記ボルト３３，３３としては、ステンレス製のものや、腐食防止処理が施された金属製ボルト、樹脂製ボルト等の耐食性ボルトを用いるのがよい。
【００４９】
然して、支持台６を基礎４２に固定し、該固定された支持台６に前記墓誌本体２ａを着脱可能に支持させて墓誌１ａを施工する要領は次の通りである。先ず図１に示すように、前記支持台６の下面４０に固定されている４本の固定部材４１，４１，４１，４１の突出部分５７，５７，５７，５７を、前記基礎４２に設けられている前記固定溝４６，４６，４６，４６に嵌め入れる。この嵌め入れ状態で、該突出部分５７の外端５９が該固定溝４６の外端６０に略合致する。その際、前記アンカーボルト５６が、前記固定部材４１の突出部分５７に設けられた前記ボルト孔５３を挿通するように支持台６の位置決めを行う。その後、図８に示すように、該固定部材４１の前記水平片４７の上方に突出したアンカーボルトのネジ軸６１に座金６２（図７）を介してナット６３（図７）を螺合し締め付けることにより、該支持台６を基礎４２に固定できる。なお、固定部材４１の水平片４７の内側部分５４を支持台６に固定するボルト３３の頭部６７は、図８に示すように、前記固定溝４６に納まる。その後、該固定溝４６にモルタルを充填する。
【００５０】
このようにして支持台６を基礎４２に固定した後、図４に示すように、前記傾斜表示面１１を前側にして墓誌本体２ａの下端嵌入部３を前記嵌入凹部５に嵌入させ、該下端嵌入部３の下面１７を該嵌入凹部５の底面２１に載せると共に、該下端嵌入部３の後面２３を、前記一方の壁部（後の壁部）３２の内面７１に当接させる。この嵌入は、嵌入凹部５の溝幅が前記下端嵌入部３の前後幅よりも１０ｍｍ大きく形成されているため、該嵌入凹部５や前記下端嵌入部３に加工誤差が生じていたとしても容易に行うことができる。又、この嵌入の際に該下端嵌入部３や嵌入凹部５の縁部等が欠ける恐れもない。このように嵌入する際、該下端嵌入部３の両側面７２，７２を嵌入凹部５の両端３１，３１に位置合わせすると、図４に示すように、前記後の壁部３２に設けられているボルト挿通孔２９と前記下端嵌入部３に設けられている雌ネジ部２６とが自ずから位置合わせされる。この状態で、前記ボルト３３のネジ軸部３５を前記ボルト挿通孔２９に挿通させ、該雌ネジ部２６に螺合し、該ボルト３３を締め付けることにより、前記下端嵌入部３が前記嵌入凹部５の後の壁部３２に当接した状態で該墓誌本体２ａが支持台６にボルト固定される。これにより、耐震性石碑（墓誌１ａ）１が構築されることとなる。
【００５１】
前記固定状態で、前記ボルト頭３７は前記拡大孔３９に収容される。このように収容した後、該拡大孔３９には、図１０に示すように、例えば石材からなる蓋片７３が装着されることもある。該蓋片７３の寸法は、例えば，その直径が４５ｍｍ、その厚さが１０ｍｍに設定される。このように蓋片７３を装着する場合、前記拡大孔３９の内周面に環状の蓋片支持部を設けてもよい。
【００５２】
そして前記のように、前記下端嵌入部３が前記嵌入凹部５の後の壁部３２に当接した状態で該墓誌本体２ａが支持台６にボルト固定される結果、図４に示すように、他方の壁部（前の壁部）７５の内面７６と前記下端嵌入部３の前面２５（前記垂直面１６）との間に溝幅が５〜１０ｍｍ程度の排水間隙１９が形成される。
【００５３】
このように溝幅の比較的大きい排水間隙１９が形成されるものではあるが、本実施例においては、前記突部下面１５の上側部分が、墓誌本体２ａの下端嵌入部３から前方に１０ｍｍ程度張り出すカバー突部１８とされているために、図４に示すように、該排水間隙１９は該カバー突部１８で上側から覆い隠される。従って、該排水間隙１９が上側から目視されず、該排水間隙１９によって墓誌１ａの美観が損なわれる恐れがない。該排水間隙１９の溝幅が小さい場合は、排水不良によって該排水間隙１９に苔が生える等して墓誌の下端部分が汚れ易いが、本実施例においては、カバー突部１８が排水間隙１９を上側から覆い隠すために溝幅の比較的大きい排水間隙１９を形成できる。そのため、該排水間隙１９での排水が良好となり、排水間隙１９の汚損が極力防止される。例え、苔が生えて排水間隙１９が汚れている場合であっても、該排水間隙１９が上側からは目視されないために墓誌１ａの美観が損なわれる恐れがない。
【００５４】
このようにして下端嵌入部３を支持台６に固定した後、図４に一点鎖線で示すように、前記ボルト挿通孔２９，２９を塞がない程度に、例えば３０ｍｍ程度の厚さで、前記基礎４２の上面４４に玉砂利７９を敷きつめる。
【００５５】
然して、かかる構成を有する石碑１によるときは、前記ボルト３３が締め付けられた状態において、前記下端嵌入部３が前記後の壁部３２に固定された状態にある。従って、地震時の振動によっても墓誌本体１ａが倒れるのを確実に防止できる。本実施例においては、前記傾斜表示面１１が、上端から下端に向けて前方に傾斜する傾斜面として形成されていて墓誌本体２ａの重心が低いために、墓誌本体２ａの安定性がそれだけ向上しており耐震性の面で有利になっている。
【００５６】
なお地震時の振動によって前記ボルト３３が緩んで墓誌本体２ａが前後方向で振動したとしても、カバー突部１８の下面をなす突部下面１５が前の壁部７５の上面２２から浮き上がっているために、図１１に矢印で示すように、該カバー突部１８が該上面２２に引っ掛かることなく円滑に前後動できる。かかることから、カバー突部１８や前の壁部７５が損傷されることがない。
【００５７】
又、該ボルト３３の緩み度合いによっては、図１２に示すように、前記下端嵌入部３の前面２５が前の壁部７５の内面７６に衝突することもあるが、該前の壁部７５による前方への移動規制作用によって、前記ボルト３３が万一脱落したとしても、墓誌本体２ａが前倒しになることがない。通常は、該下端嵌入部３の前面２５が前の壁部７５の内面７６に当接する程度にボルトが緩んだとしても、前記雌ネジ部２６に対するボルト３３のネジ軸部３５の螺合長さが長いために、ボルト３３が支持台６から脱落する恐れはない。従って、支持台６の下端嵌入部３が嵌入凹部５から脱落する事態は生じず墓誌本体２ａが倒れることはない。
【００５８】
なお、故人の戒名や没年月日、俗名等の文字等を墓誌本体２ａに新たに彫り込む等の必要が生じた場合は、前記ボルト３３を取り外すことによって墓誌本体２ａを支持台６と独立させ得るため、かかる彫り込み等を容易に行うことができる。
【００５９】
又本実施例においては、前記下端嵌入部３の前面２５と前の壁部７５の内面７６との間に、前記のように、左右方向に連続してその両端が開放された、比較的溝幅の大きい排水間隙１９が形成されているため、該排水間隙１９に流入した雨水は円滑に排水される。かかることから該排水間隙１９は、苔が生えるのが抑制されて汚れにくい。又本実施例においては、かかる排水間隙１９が墓誌の前側に生ずるものではあるが、図４に示すように、該排水間隙１９の上端８１が前記カバー突部１８で覆い隠された状態となるため、上側からは排水間隙１９が目視されず、従って、排水間隙１９によって墓誌１ａの美観が損なわれることがない。
【００６０】
そして前記のように、前記墓誌本体２ａの下端嵌入部３を前記支持台６の嵌入凹部５に着脱可能に嵌入することとし、該下端嵌入部３を支持台６にボルト固定することとしているため、該ボルト３３を取り外すことによって該墓誌本体２ａを移設できる。加えて本実施においては、前記のように、支持台６を固定部材４１を介して基礎４２にボルト固定するため、該支持台６を基礎４２から分離するのも容易である。これによって支持台６の移設も容易となり、墓誌全体の移設が容易である。
【実施例２】
【００６１】
本発明は、前記実施例で示したものに限定されるものでは決してなく、「特許請求の範囲」の記載内で種々の設計変更が可能であることはいうまでもない。その一例を挙げれば次のようである。
【００６２】
(1) 前記実施例においては、石碑本体（墓誌本体等）２の下端嵌入部３の両側面７２，７２が、前記嵌入凹部５の両端（即ち支持台の両端）３１，３１に合致する場合が記載されているが、前記下端嵌入部３の両側面７２，７２が、図１３〜１４に示すように、支持台６の両端３１，３１から内方に控えた状態となる場合がある他、図１５に示すように、前記下端嵌入部３の両側面７２，７２が支持台６の両端３１，３１から稍突出状態となることもある。
【００６３】
(2) 図１６〜１９、図２０は支持台６の他の態様を示すものであり、嵌入凹部５が、上端開放で且つ両端が閉じたものとして形成されている。図１６〜１９に示す支持台６にあっては、嵌入凹部５が有底に形成され、その底部８２の一部分に排水孔８３が設けられている。又図２０に示す支持台６にあっては、嵌入凹部５の底部全体が貫通状態にあり、底部全体が排水孔８３とされている。そしてこれらの場合も、嵌入凹部５の一方の壁部（例えば、後の壁部）３２の左右両側に位置させて、前記と同様構成のボルト挿通孔２９，２９が設けられている。
【００６４】
図１９は、有底の嵌入凹部５に石碑本体２の下端嵌入部３を嵌入させると共に各ボルト挿通孔２９に挿通したボルト３３のネジ軸部３５を、前記下端嵌入部３の左右両側に設けられた雌ネジ部２６，２６に螺合し該ボルト３３を締め付けることにより、石碑本体２が支持台６に着脱可能に支持されている。そして、該石碑本体２に設けられた前記と同様構成のカバー突部１８が、前記実施例におけると同様に、嵌入凹部５の他方の壁部（例えば、前の壁部）７５と前記下端嵌入部３との間に形成された排水間隙１９を上側から覆い隠す。
【００６５】
又図２０は、上下貫通する嵌入凹部５を具える支持台６に石碑本体２の下端嵌入部３を嵌入した場合を示すものであり、該下端嵌入部３の下面１７が、該支持台６が固定される基礎４２の上面８４に載った状態とされている。この場合も図１９に示すと同様にして、ボルト３３のネジ軸部３５を、前記下端嵌入部３に設けられた雌ネジ部２６に螺合し該ボルト３３を締め付けることにより、石碑本体２が支持台６に着脱可能に支持されている。そして、該石碑本体２に設けられた前記と同様構成のカバー突部１８が、前記実施例におけると同様に、嵌入凹部５の他方の壁部（例えば前の壁部）７５と前記下端嵌入部３との間に形成された排水間隙１９を上側から覆い隠す。
【００６６】
図２１は、嵌入凹部５が、上端開放で且つ両端が閉じた状態にある場合において、両端に生ずる間隙８５，８５を上側から覆い隠す端部カバー突部８６，８６を石碑本体２に設けることによって墓誌等の石碑の見栄えを一層向上させた場合を示すものである。
なお、支持台６に、上端開放で且つ両端が閉じた嵌入凹部５を設ける場合、通常は、嵌入凹部５の底部８２に前記のように排水孔８３が設けられるが、該底部８２に排水孔８３が設けられないこともある。この場合は、前記排水間隙１９に流入した雨水が積極的には排水されないが、自然乾燥によって排水される。
【００６７】
(3) 上端開放で且つ両端も開放した嵌入凹部５を具える前記支持台６にあっては、排水間隙１９に流入した雨水は、該排水間隙１９の両端で排水されることになるが、この場合、嵌入凹部５の底部に排水孔が設けられることもある。
【００６８】
(4) 図２２〜２５は、前記石碑本体２を着脱可能に支持する支持台６を、２分割された分割支持台６ａ，６ａを以て構成した場合を示すものであり、該分割支持台６ａ，６ａは、例えば前記と同様にして基礎４２に固定される。そして分割支持台６ａ，６ａは、前記石碑本体２の下端嵌入部３を支持するように構成されており、各分割支持台６ａ，６ａには、上端開放で且つ両端が開放した有底の断面矩形状を呈する嵌入凹部５が設けられている。又、該嵌入凹部５の一方の壁部（例えば後の壁部）３２の例えば中央部位に位置させて、前記と同様構成の一つのボルト挿通孔２９が設けられている。図２４〜２５は、左右に所要間隔を隔てて配設された分割支持台６ａ，６ａの嵌入凹部５，５に、前記石碑本体２の下端嵌入部３を嵌入させると共に、前記ボルト挿通孔２９を挿通したボルト３３のネジ軸部３５を、前記下端嵌入部３に設けられた雌ネジ部２６に螺合し該ボルト３３を締め付けることによって、該下端嵌入部３を支持台６に着脱可能に支持した状態を示すものである。
【００６９】
図２６〜２７は、分割支持台６ａの他の態様を示すものであり、図２２〜２３に示す分割支持台６ａにおいて嵌入凹部５の外端を塞ぎ部８９で閉じた構成を有している。図２８〜２９は、かかる構成を有する分割支持台６ａ，６ａを左右に所要間隔を隔てて基礎４２に固定すると共に、左右対向する嵌入凹部５，５に前記石碑本体２の下端嵌入部３を嵌め入れた状態を示しており、夫々の分割支持台６ａ，６ａの一方の壁部（例えば後の壁部）３２の例えば中央部位に設けられたボルト挿通孔２９を挿通するボルト３３のネジ軸部３５を前記下端嵌入部３に設けられた雌ネジ部２６に螺合し該ボルト３３を締め付けることによって、石碑本体２の下端嵌入部３が左右の分割支持台６ａ，６ａに着脱可能に支持されている。
【００７０】
これらの場合、図３０に示すように、左右に配置された分割支持台６ａ，６ａの嵌入凹部５，５に嵌まり合う突部３ａ，３ａとしての下端嵌入部３，３を、石碑本体２の下面９０に突設されたものとして構成し、該突部３ａ，３ａに雌ネジ部２６，２６を設けることもある。
【００７１】
そしてこれらの場合も、図２４、図２８等に示すように、該石碑本体２に設けられた前記と同様構成のカバー突部１８が、前記実施例におけると同様にして、嵌入凹部５の他方の壁部７５と前記下端嵌入部３との間に形成された排水間隙１９を上側から覆い隠す。
【００７２】
(5) 前記カバー突部１８は、図３１に示すように、石碑本体２の垂直な面９１の下側部分に突出する如く設けられることもある。又該カバー突部１８は、石碑本体２と一体に形成されることの他、図３２に示すように、別体形成されたカバー突部１８を接着やダボ接合等の手段によって石碑本体２に後付けすることもある。又、カバー突部１８の形態は、前記嵌入凹部５の他方の壁部７５と前記下端嵌入部３との間に形成された排水間隙１９を上側から覆い隠すことができるものであれば、各種形態のものとして構成できる。又、該カバー突部１８の突部下面１５が、嵌入凹部５の他方の壁部７５の上面２２に当接状態とされることもある。
【００７３】
(6) 前記実施例においては、ボルト３３のボルト頭３７を、ボルト挿通孔２９の前記拡大孔３９に納めているが、該ボルト頭３７は、支持台６の壁部の外面に突出状態とされることもある。
【００７４】
(7) 図３３は、雌ネジ部２６が前記石碑本体２を貫通するように構成した場合を示すものである。
【００７５】
(8) 前記石碑本体２は、実施例１においては墓誌本体として構成されているが、慰霊碑や歌碑等の各種記念碑として構成されることもあり、その大きさに合わせて支持台６が構成され、又、嵌入凹部５の形態が所要に設定される。
石碑本体２の下端嵌入部３が例えば円柱状を呈する場合は、該嵌入凹部５は、例えば図３４に示すように円形凹部として形成され、該嵌入凹部５の対向する壁部の内の一方の壁部３２にボルト挿通孔２９が設けられると共に、前記下端嵌入部３には、該ボルト挿通孔２９を挿通したボルト３３のネジ軸部３５が螺合する雌ネジ部２６が設けられている。そして図３４〜３５に示すように、前記石碑本体２の下端嵌入部３を前記嵌入凹部５に嵌入した状態で、前記ボルト挿通孔２９を挿通したボルト３３のネジ軸部３５を該雌ネジ部２６に螺合し該ボルト３３を締め付けることにより、該下端嵌入部３は、該一方の壁部３２に当接した状態で前記支持台６に固定され、他方の壁部７５と前記下端嵌入部３との間に排水間隙１９が形成される如くなされている。本実施例においては、図３５に示すように、前記嵌入凹部５の底部９１に排水孔８３が形成されている。前記排水間隙１９は、図３６〜３７に示すように、該石碑本体２に設けられた前記と同様構成のカバー突部１８で上側から覆い隠すのがよい。
【００７６】
(9) 又、支持台６と石碑本体２の下端嵌入部３とを着脱可能に固定するために用いるボルト３３を挿通させるボルト挿通孔２９の配設状態や、該ボルト３３のネジ軸部３５を挿通させる雌ネジ部２６の配設状態、更に該ボルト３３の使用本数は、石碑本体２を支持台６に安定的に支持できるように所要に設定されるものである。
【００７７】
(10)図３８は、石碑本体２が例えば墓誌本体２ａである場合において、支持台６の前後対向する壁部の内の前の壁部（一方の壁部）７５にボルト挿通孔２９を設け、前記と同様にしてボルト３３を用いて石碑本体２の下端嵌入部３を支持台６にボルト固定した状態を示すものである。この場合は、後の壁部（他方の壁部）３２側に排水間隙１９が形成される。図３８は、石碑本体２に設けられた前記と同様構成のカバー突部１８が前記排水間隙１９を上側から覆い隠した状態を示している。この場合、前記墓誌本体２ａの前面７に戒名等が彫り込まれる等するため、前記ボルト挿通孔２９が墓誌１ａの前側の美観を損なわないように、図１０に示すと同様にして該ボルト挿通孔２９の端部を蓋片７３で閉蓋したり、図３８に示すように、該ボルト挿通孔２９の外端側を玉砂利７９等で塞ぐのがよい。
【００７８】
(11)図３９は、前記した各実施例等において、石碑本体２の下端嵌入部３を支持台６、支持台６ａに固定するボルト固定を、前記した頭付きのボルト３３ではなく、ボルト９２とナット９３とを用いて行なう場合に関するものである。
同図において該ボルト９２は、両端部分にネジ軸部９５，９６が設けられた直線棒状を呈し、本実施例においては、ボルト９２の全体に亘ってネジ軸部が設けられている。そして、一端側のネジ軸部９５が前記雌ネジ部２６に螺合されると共に、他端側のネジ軸部９６にナット９３が螺合され締め付けられ、該ナット９３は、前記と同様にして支持台６、支持台６ａに設けられたボルト挿通孔２９の前記拡大孔３９に納められている。なお該ナット９３は、支持台６、支持台６ａの壁部の外面に突出状態とされることもある。その他の構成は前記実施例におけると同様であり、前記ボルト９２を図４０に示すように前記雌ネジ部２６から取り外すことによって、石碑本体２を支持台６と容易に分離できる。
【００７９】
(12)図４１は、前記のように形成された排水間隙１９を覆い隠すカバー突部１８が石碑本体２に設けられていない場合を示している。本発明に係る石碑１はこのような態様も含むものではあるが、支持台６による石碑本体２の支持部分の見栄えを向上する上からは前記のようにカバー突部１８を設けるのがよい。このようにカバー突部を設けない場合は、体裁上、前記排水間隙１９の溝幅を比較的小さく形成するのがよく、この場合、図４１に示すように、前記嵌入凹部５の底部８２に排水孔８３を形成し、排水間隙１９に流入した雨水を速やかに排水するように構成するのが好ましい。
【００８０】
(13)本発明に係る石碑１を構成する石碑本体２や支持台６は、石材を以て構成されることの他、人造石やコンクリート構造物として構成されたり、コンクリート構造物の表面にタイル等を張り付けて構成されることもある。更には、焼き物等、各種に構成され得る。又、該支持台６を基礎４２に固定する手段は、図１、図５〜８に示すと同様にして、該支持台６を前記固定部材４１を用いて基礎４２に着脱可能に固定する手段を採用できることの他、各種の固定手段を採用できる。
【図面の簡単な説明】
【００８１】
【図１】本発明に係る石碑を示す斜視図である。
【図２】石碑本体と支持台を示す斜視図である。
【図３】石碑を分解して示す斜視図である。
【図４】石碑の構築状態を示す断面図である。
【図５】支持台の下面に固定部材を固定した状態を示す斜視図である。
【図６】支持台を基礎に固定する固定手段を説明する斜視図である。
【図７】その分解斜視図である。
【図８】支持台を基礎に固定した状態を示す断面図である。
【図９】固定部材が固定された支持台を示す平面図である。
【図１０】石碑本体を、基礎に固定された支持台にボルト固定した状態を示す断面図である。
【図１１】そのボルトが若干緩んで石碑本体が稍前進した状態を示す断面図である。
【図１２】ボルトが緩んで石碑本体の下端嵌入部が嵌入凹部の前の壁部に衝突した状態を示す断面図である。
【図１３】下端嵌入部の両側面が支持台の両端から内方に稍控えた状態の石碑を示す正面図である。
【図１４】下端嵌入部の両側面が支持台の両端から内方に稍控えた状態の石碑の他の態様を示す斜視図である。
【図１５】下端嵌入部の両側面が支持台の両端から稍突出した状態の石碑を示す正面図である。
【図１６】上端開放で且つ両端が閉じた嵌入凹部を具える支持台を石碑本体と共に示す斜視図である。
【図１７】上端開放で且つ両端が閉じた嵌入凹部を具える支持台を石碑本体と共に示す斜視図である。
【図１８】上端開放で且つ両端が閉じた嵌入凹部を具える支持台を示す平面図である。
【図１９】上端開放で且つ両端が閉じた嵌入凹部を具える支持台に石碑本体をボルト固定した状態を示す断面図である。
【図２０】上下貫通する嵌入凹部を具えた支持台に下端嵌入部を嵌入し、該下端嵌入部を支持台にボルト固定した状態を示す断面図である。
【図２１】嵌入凹部が、上端開放で且つ両端が閉じた状態にある場合において、該両端に生ずる間隙を、石碑本体に設けた端部カバー突部で上側から覆い隠した状態を示す断面図である。
【図２２】分割支持台と石碑本体を示す斜視図である。
【図２３】分割支持台と石碑本体を示す斜視図である。
【図２４】分割支持台に石碑本体をボルト固定した状態を示す断面図である。
【図２５】分割支持台を用いて構成された石碑を示す斜視図である。
【図２６】分割支持台の他の態様を石碑本体と共に示す斜視図である。
【図２７】分割支持台の他の態様を石碑本体と共に示す斜視図である。
【図２８】分割支持台に石碑本体をボルト固定した状態を示す断面図である。
【図２９】その分割支持台を用いて構成された石碑を示す斜視図である。
【図３０】下端嵌入部が下面に突設された石碑本体を分割支持台と共に示す背面図である。
【図３１】カバー突部が設けられた石碑本体の他の態様を示す部分断面図である。
【図３２】別体形成されたカバー突部が設けられた石碑本体を示す部分断面図である。
【図３３】雌ネジ部が貫通状態に設けられた石碑本体を支持台にボルト固定した状態を示す断面図である。
【図３４】円形凹部として形成された嵌入凹部に石碑本体の下端嵌入部を嵌入してボルト固定した状態を示す平面図である。
【図３５】その石碑本体を支持台にボルト固定した状態を示す断面図である。
【図３６】その場合において形成される排水間隙をカバー突部で上側から覆い隠した状態を示す平面図である。
【図３７】その断面図である。
【図３８】下端嵌入部を嵌入凹部に嵌入した状態で、該下端嵌入部を支持台の前の壁部側からボルト固定した状態を示す断面図である。
【図３９】石碑本体の下端嵌入部と支持台とを、ボルトとナットとを用いてボルト固定した石碑を示す断面図である。
【図４０】その耐震性石碑においてボルトを取り外した状態を示す断面図である。
【図４１】カバー突部が設けられていない石碑本体を台座部にボルト固定した状態を示す断面図である。
【図４２】従来の墓誌を説明する斜視図である。
【図４３】その断面図である。
【図４４】従来の墓誌の他の態様を示す斜視図である。
【図４５】墓誌本体の下端部分を支持台にボルト固定する従来の墓誌を説明する分解斜視図である。
【図４６】台石に墓誌本体の下端部分をボルト固定した従来の墓誌を説明する断面図である。
【図４７】墓誌本体の下端部分を台石にボルト固定する場合の問題点を説明する断面図である。
【図４８】墓誌本体の下端部分を台石にボルト固定してなる従来の他の墓誌の問題点を説明する斜視図である。
【符号の説明】
【００８２】
１  石碑
２  石碑本体
３  下端嵌入部
５  嵌入凹部
６  支持台
１５  突部下面
１８  カバー突部
１９  排水間隙
２６  雌ネジ部
２９  ボルト孔
３２  一方の壁部
３３  ボルト
３５  ネジ軸
３６  挿通孔部
３９  拡大孔
４１  固定部材
４２  基礎
４３  固定ネジ孔
５６  アンカーボルト
７５  他方の壁部
８３  排水孔
９２  ボルト
９３  ナット
【図１】
2007126825.tif 000003
【図２】
2007126825.tif 000004
【図３】
2007126825.tif 000005
【図４】
2007126825.tif 000006
【図５】
2007126825.tif 000007
【図６】
2007126825.tif 000008
【図７】
2007126825.tif 000009
【図８】
2007126825.tif 000010
【図９】
2007126825.tif 000011
【図１０】
2007126825.tif 000012
【図１１】
2007126825.tif 000013
【図１２】
2007126825.tif 000014
【図１３】
2007126825.tif 000015
【図１４】
2007126825.tif 000016
【図１５】
2007126825.tif 000017
【図１６】
2007126825.tif 000018
【図１７】
2007126825.tif 000019
【図１８】
2007126825.tif 000020
【図１９】
2007126825.tif 000021
【図２０】
2007126825.tif 000022
【図２１】
2007126825.tif 000023
【図２２】
2007126825.tif 000024
【図２３】
2007126825.tif 000025
【図２４】
2007126825.tif 000026
【図２５】
2007126825.tif 000027
【図２６】
2007126825.tif 000028
【図２７】
2007126825.tif 000029
【図２８】
2007126825.tif 000030
【図２９】
2007126825.tif 000031
【図３０】
2007126825.tif 000032
【図３１】
2007126825.tif 000033
【図３２】
2007126825.tif 000034
【図３３】
2007126825.tif 000035
【図３４】
2007126825.tif 000036
【図３５】
2007126825.tif 000037
【図３６】
2007126825.tif 000038
【図３７】
2007126825.tif 000039
【図３８】
2007126825.tif 000040
【図３９】
2007126825.tif 000041
【図４０】
2007126825.tif 000042
【図４１】
2007126825.tif 000043
【図４２】
2007126825.tif 000044
【図４３】
2007126825.tif 000045
【図４４】
2007126825.tif 000046
【図４５】
2007126825.tif 000047
【図４６】
2007126825.tif 000048
【図４７】
2007126825.tif 000049
【図４８】
2007126825.tif 000050